(57)【要約】【課題】倒立状態で、且つ、任意の方向に浅い角度で傾けて使用した場合でも、容器内の原液を外部へ吐出することができ内容物の残量を少なくすることができる倒立型エアゾール用バルブ、該バルブを備える倒立型エアゾール用容器、並びに該エアゾール用容器に内容物が充填された倒立型エアゾール製品を提供する。【解決手段】内容物を流入させるための流入孔３ｅを有し、流入孔３ｅの開口を底部に備えるハウジング３と、ハウジング３上部から突出して設けられ且つ付勢手段３ｉにより上方向に付勢されたステム２と、ハウジング３とステム２とが取り付けられたマウンティング・カップ１ａと、ハウジング３の流入孔３ｅと連通して下方に延びるとともに、ハウジング３に対してハウジング３の中心軸回りに回転可能に接続された第１管４と、第１管４と連通するとともに、第１管４に対して鋭角をなすように第１管４の半径方向外側に上向きに延設され、延設方向端部に吸入口を有する第２管５と、を備えることを特徴とする倒立型エアゾール用バルブとする。【選択図】図１
2015066474.tif 000002
【特許請求の範囲】
【請求項１】
倒立させた状態で内容物を吐出して使用する倒立型エアゾールに用いられる倒立型エアゾール用バルブであって、
内容物を流入させるための流入孔を有し、該流入孔の開口を底部に備えるハウジングと、
前記ハウジング上部から突出して設けられ且つ付勢手段により上方向に付勢されたステムと、
前記ハウジングと前記ステムとが取り付けられたマウンティング・カップと、
前記ハウジングの前記流入孔と連通して下方に延びるとともに、該ハウジングに対して該ハウジングの中心軸回りに回転可能に接続された第１管と、
前記第１管と連通するとともに、該第１管に対して鋭角をなすように該第１管の半径方向外側に上向きに延設され、延設方向端部に吸入口を有する第２管と、
を備えることを特徴とする倒立型エアゾール用バルブ。
【請求項２】
前記ハウジングが、前記第１管の脱落を防止するための係止部を備えており、前記係止部と前記第１管の内壁とが当接するように前記ハウジングが前記第１管に圧入されることにより、前記第１管が前記ハウジングに対して回転可能に接続されていることを特徴とする請求項１記載の倒立型エアゾール用バルブ。
【請求項３】
前記第２管が、前記吸入口側に向かうに従い外径が大きくなるように形成された略円筒状の第２管本体と、該第２管本体の側面の外側に延設された鍔部とを備えていることを特徴とする請求項１又は２に記載の倒立型エアゾール用バルブ。
【請求項４】
請求項１乃至３いずれかに記載の倒立型エアゾール用バルブを、エアゾール用缶に取り付けることによって形成されてなる倒立型エアゾール用容器。
【請求項５】
請求項４記載の倒立型エアゾール用容器に前記内容物が充填された倒立型エアゾール製品。
【発明の詳細な説明】
【技術分野】
【０００１】
本発明は、倒立状態で、且つ任意の方向に浅い角度で傾けて使用した場合でも、内容物を缶外へ吐出することができ残量を減らすことができる倒立型エアゾール用バルブ、該バルブを備える倒立型エアゾール用容器、並びに該エアゾール用容器に内容物が充填された倒立型エアゾール製品に関する。
【背景技術】
【０００２】
倒立型エアゾールとは、化粧品等に用いられ、倒立させた時に下側に位置するステムを押すことによって内容物を吐出する型のエアゾール製品等のことである。以下、倒立型エアゾールに用いる容器を、倒立型エアゾール用容器という。また、該容器で、缶上に取り付けて用いるバルブ構造体を、倒立型エアゾール用バルブという。
【０００３】
図１０は、従来の倒立型エアゾール用容器（２００）の構造を示す断面図である。倒立型エアゾール用容器（２００）は、エアゾール用缶（１）と、倒立型エアゾール用バルブ（Ｃ）とを備えている。倒立型エアゾール用バルブ（Ｃ）は、マウンティング・カップ（１ａ）と、ステム（２）と、ハウジング（３）とを備えている。ハウジング（３）は、ステム（２）と容器の内側とを連通するバルブ機能を有している。ハウジング（３）の容器内方の開口（３ａ）が、原液吸い込み口である。マウンティング・カップ（１ａ）は、ステム（２）とハウジング（３）とを保持しており、いわゆるクリンチ処理によって、エアゾール用缶（１）に気密に接続されている。
【０００４】
倒立型エアゾール用容器（２００）は、ステム（２）を真下に向けた状態で用いることを想定して設計されている。しかし、実際には、倒立型エアゾール用容器（２００）は、図１０（ａ）、（ｂ）に示すように、ステム（２）を斜め下に向けた状態で使用されることが多い。図１０（ａ）は、原液（Ａ）が多くある状態を示す。図１０（ｂ）は、原液（Ａ）が残り少なくなった状態を示す。
【０００５】
図１０（ｂ）に示すように、原液（Ａ）が残り少なくなった場合、原液吸い込み口である開口（３ａ）は、原液（Ａ）を吸い込むことができなくなる。この場合、ステム（２）は、残りの原液（Ａ）を吐出することができず、代わりに、原液を吐出するために充填されている噴射剤（Ｂ）の気相部のみを噴射してしまう。
また、他のバルブ形状としてハウジングの側面に原液吸い込み口のスリットが形成された倒立型エアゾール用バルブも汎用されているが、当該形状の倒立型エアゾール用バルブを用いた場合でも、ステムを斜め下に向けた状態で使用されると原液を吐出するために充填されている噴射剤の気相部のみを噴射してしまうといった問題がある。
このような原液の残量に係る諸問題は、使用者からの商品クレームにも繋がる虞があり、倒立型エアゾールにおける残量低減への取り組みは急務である。
【０００６】
従来より、正立または倒立の何れであっても吐出することができる形態として、例えば、流体送り用管状部の上端から下端の重錘までの中間部をわん曲可能とする試みがなされている（例えば、特許文献１）。
【０００７】
当該試みによって、浅い使用角度（吐出口を斜め下方）で使用した場合であっても原液を吐出することができるようになるものの、正立状態から倒立状態に使用角度を変える時にチューブの先端が缶の内壁に当たってしまうことから、チューブが瞬時に曲がらずに噴射剤（気相）のみが吐出される虞があるといった問題や、振盪によりチューブが缶内で絡まるといった問題がある。チューブの先端が缶の内壁に当たってしまうことを抑制するために、チューブ長を短くする試みも考え得るが、ある一定の長さでないとチューブ自体が曲がらない。若しくは、錘をかなり重くしないと曲がらないといった問題もある。
【０００８】
一方で、ハウジング自体の構造に特徴を持たせる試みもなされている（例えば、特許文献２、特許文献３、特許文献４、特許文献５）。
しかしながら、当該特許文献のハウジングの構造は、吐出口が真下に向くような形態で使用されることを前提とした設計であることから、吐出口を斜め下方に向けて使用される場面においては、従来の問題を解決するものではない。
【先行技術文献】
【特許文献】
【０００９】
【特許文献１】実開平６−５７８６７号公報
【特許文献２】特開平８−２５６８号公報
【特許文献３】特開平１１−２３９７４２号公報
【特許文献４】特開２００４−１６８３２０号公報
【特許文献５】特開２００８−２５４７５１号公報
【発明の開示】
【発明が解決しようとする課題】
【００１０】
本発明は、上述したような問題点を解決すべくなされたものであって、倒立状態で、且つ、任意の方向に浅い角度で傾けて使用した場合でも、容器内の原液を外部へ吐出することができ内容物の残量を少なくすることができる倒立型エアゾール用バルブ、該バルブを備える倒立型エアゾール用容器、並びに該エアゾール用容器に内容物が充填された倒立型エアゾール製品を提供するものである。
【課題を解決するための手段】
【００１１】
本発明は、倒立させた状態で内容物を吐出して使用する倒立型エアゾールに用いられる倒立型エアゾール用バルブであって、内容物を流入させるための流入孔を有し、該流入孔の開口を底部に備えるハウジングと、前記ハウジング上部から突出して設けられ且つ付勢手段により上方向に付勢されたステムと、前記ハウジングと前記ステムとが取り付けられたマウンティング・カップと、前記ハウジングの前記流入孔と連通して下方に延びるとともに、該ハウジングに対して該ハウジングの中心軸回りに回転可能に接続された第１管と、前記第１管と連通するとともに、該第１管に対して鋭角をなすように該第１管の半径方向外側に上向きに延設され、延設方向端部に吸入口を有する第２管と、を備えることを特徴とする倒立型エアゾール用バルブである。
【００１２】
好ましくは、前記ハウジングが、前記第１管の脱落を防止するための係止部を備えており、前記係止部と前記第１管の内壁とが当接するように前記ハウジングが前記第１管に圧入されることにより、前記第１管が前記ハウジングに対して回転可能に接続されていることを特徴とする。
【００１３】
好ましくは、前記第２管が、前記吸入口側に向かうに従い外径が大きくなるように形成された略円筒状の第２管本体と、該第２管本体の側面の外側に延設された鍔部とを備えていることを特徴とする。
【００１４】
本発明は、前記倒立型エアゾール用バルブを、エアゾール用缶に取り付けることによって形成されてなる倒立型エアゾール用容器である。
【００１５】
また、本発明は、前記倒立型エアゾール用容器に前記内容物が充填された倒立型エアゾール製品である。
【発明の効果】
【００１６】
本発明によれば、ハウジングに対して該ハウジングの中心軸回りに回転可能に接続された第１管と、前記第１管と連通するとともに該第１管に対して鋭角をなすように該第１管の半径方向外側に上向きに延設され、延設方向端部に吸入口を有する第２管と、を備えることにより、完全な倒立状態ではなく浅い角度で傾けて使用される場合にも、第２管の吸入口は、第２管に作用する重力によって、常に下方向（原液が存在する方向）を向くこととなる。さらに、使用者が缶を中心軸回りに回転させたとしても、第２管に作用する重力によって第１管が回転し、第２管の開口は常に下方向を向くこととなる。したがって、本発明の倒立型エアゾール用バルブは、完全な倒立状態ではなく任意の方向に浅い角度で傾けて使用した場合も、缶の中心軸回りの方向に依存することなくどの方向においても内容物を缶外部へ吐出することが可能であり、内容物の残量を減らすことができる。
【００１７】
前記ハウジングが、前記第１管の脱落を防止するための係止部を備えており、前記係止部と前記第１管の内壁とが当接するように前記ハウジングが前記第１管に圧入されることにより、前記第１管が前記ハウジングに対して回転可能に接続されていることによって、第１管がハウジングに対し脱落することなく回転するので、確実に吸入口を下方向（原液が存在する方向）に向けることができる。
【００１８】
前記第２管が、前記吸入口側に向かうに従い外径が大きくなるように形成された略円筒状の第２管本体と、該第２管本体の側面に延設された鍔部とを備えていることにより、第２管に作用する重力が大きくなり、これにより、確実に吸入口を下方向（原液が存在する方向）に向けることができる。
【００１９】
また、本発明によれば、上記効果を奏する倒立型エアゾール用容器及び該エアゾール用容器に内容物が充填された倒立型エアゾール製品を提供することができる。
【図面の簡単な説明】
【００２０】
【図１】本発明に係る倒立型エアゾール用バルブ及び倒立型エアゾール用容器の構造を説明するための断面図である。
【図２】本発明に係る倒立型エアゾール用バルブを下方向から視た図である。
【図３】本発明に係る倒立型エアゾール用バルブのハウジング部分の拡大側面図である。
【図４】ハウジングと第１管の接続部の第１実施形態の部分拡大断面図である。
【図５】ハウジングと第１管の接続部の第２実施形態の部分拡大断面図である。
【図６】ハウジングと第１管の接続部の第３実施形態の部分拡大断面図である。
【図７】ハウジングと第１管の接続部の第４実施形態の部分拡大断面図である。
【図８】倒立型エアゾールの使用状態を説明するための断面図であり、缶を斜め下向きにした状態を示す図である。
【図９】倒立型エアゾールの使用状態を説明するための図であり、倒立型エアゾール用バルブを下方向から視た図である。
【図１０】従来の倒立型エアゾールの使用状態を示す図であり、（ａ）原液が多くある状態、（ｂ）原液が残り少なくなった状態を示す図である。
【発明を実施するための形態】
【００２１】
以下、本発明に係る倒立型エアゾール用バルブ、該バルブを備える倒立型エアゾール用容器、並びに該エアゾール用容器に内容物が充填された倒立型エアゾール製品について図面を参照しながら説明する。
【００２２】
図１は、倒立型エアゾール用バルブを備える倒立型エアゾール用容器（１００）の断面図であり、図２は、本発明に係る倒立型エアゾール用バルブを下方向から視た図であり、図３は、本発明に係る倒立型エアゾール用バルブのハウジング部分の拡大側面図である。
倒立型エアゾール用バルブ（１０）は、マウンティング・カップ（１ａ）と、ステム（２）と、ハウジング（３）と、第１管（４）と、第２管（５）と、を備えている。ステム（２）は、ハウジング（３）の上部から突出して設けられている。そして、ステム（２）とハウジング（３）とが、エアゾール用缶（１）の頭頂部に備えられたマウンティング・カップ（１ａ）に取り付けられており、マウンティング・カップ（１ａ）は、エアゾール用缶（１）の上部開口部分との間に気密に接続されている。
【００２３】
ハウジング（３）は、原液（Ａ）と噴射剤（Ｂ）とからなる内容物を流入させるための流入孔（３ｅ）を有し、流入孔（３ｅ）の開口（３ａ）を底部に備えている。
ハウジング（３）は、付勢手段であるスプリング（３ｉ）を有しており、スプリング（３ｉ）はステム（２）を常に上方へと付勢している。ステム（２）は、図中、縦方向に延びている吐出口（縦孔）（２ａ）と、吐出口（２ａ）から横向きに延びているステムオリフィス（横孔）（２ｂ）と、を備えている。ステムオリフィス（２ｂ）は、ステム（２）が押下されていないときは、ハウジング（３）の弾性体であるパッキン（３ｃ）によって密閉されている。ハウジング（３）は、パッキン（３ｃ）の下側に、ステム（２）を押下したときにステムオリフィス（２ｂ）と開口（３ａ）とを接続する接続路（３ｄ）を備えている。
【００２４】
ハウジング（３）は、ステム（２）の下方部分が収容される円筒状のハウジング本体（３ｂ）と、ハウジング本体（３ｂ）の下方に一体的に形成され、ハウジング本体（３ｂ）より小さな径を有する円筒状の嵌入部（３ｆ）を有している。嵌入部（３ｆ）には、第１管（４）が流入孔（３ｅ）と連通して下方に延びるように外嵌されて接続されている。
第１管（４）は、上部に開口（４ａ）を有する流入孔（４ｂ）を有している。流入孔（４ｂ）は貫通穴ではなく、第１管（４）の上部のみ開口している。
【００２５】
図４は、ハウジングと第１管の接続部の第１実施形態の部分拡大断面図である。
嵌入部（３ｆ）は、先端に円錐台形状（断面図で示す場合は、矢印形状）の係止部（３ｇ）を有しており、一方、第１管（４）の内壁（４ｃ）には突出部（４ｄ）が設けられている。突出部（４ｄ）の最も突出した部分の内径は嵌入部（３ｆ）の外径よりも大きな値となるように、且つ係止部（３ｇ）の外径よりも小さな値となるように形成されている。そして、嵌入部（３ｆ）は、係止部（３ｇ）が第１管（４）の内壁（４ｃ）に当接するとともに突出部（４ｄ）の下方に位置するように第１管（４）の流入孔（４ｂ）に圧入されている。これにより、第１管（４）は、ハウジング（３）に対して脱落することなくハウジング（３）の中心軸回りに回転可能に接続されている。
【００２６】
図５は、ハウジングと第１管の接続部の第２実施形態の部分拡大断面図である。
この第２実施形態は、突出部（４ｄ）の最も突出した部分の内径が嵌入部（３ｆ）の内径と略同じ値となるように形成されている点でのみ第１実施形態と異なる。これにより、嵌入部（３ｆ）と内壁（４ｃ）との隙間から内容物が漏れるのを防ぐことができる。また、第１実施形態と同様に、嵌入部（３ｆ）は、係止部（３ｇ）が第１管（４）の内壁（４ｃ）に当接するとともに突出部（４ｄ）の下方に位置するように第１管（４）の流入孔（４ｂ）に圧入されている。これにより、第１管（４）は、ハウジング（３）に対して脱落することなくハウジング（３）の中心軸回りに回転可能に接続されている。
【００２７】
図６は、ハウジングと第１管の接続部の第３実施形態の部分拡大断面図である。
図示の如く、突出部（４ｄ）は、ハウジング（３）の軸方向に沿って所定ピッチで複数形成されていてもよい。これにより嵌入部（３ｆ）と内壁（４ｃ）との隙間から内容物が漏れるのをより防ぐことができる。また、第１実施形態と同様に、嵌入部（３ｆ）は、係止部（３ｇ）が第１管（４）の内壁（４ｃ）に当接するとともに突出部（４ｄ）の下方に位置するように第１管（４）の流入孔（４ｂ）に圧入されている。これにより、第１管（４）は、ハウジング（３）に対して脱落することなくハウジング（３）の中心軸回りに回転可能に接続されている。
【００２８】
図７は、ハウジングと第１管の接続部の第４実施形態の部分拡大断面図である。
嵌入部（３ｆ）の先端には球状部（３ｈ）が形成されており、球状部（３ｈ）の側面には外側に突出する環状の係止部（３ｇ）が形成されている。
一方、第１管（４）の上端部には、上部が開口した凹部（４ｅ）を有する受入部（４ｄ）が備えられている。凹部（４ｅ）は、球を水平方向中央よりやや上部でカットした載頭球形状をしており、凹部（４ｅ）の上端部の内径は、係止部（３ｇ）の外径よりも小さな値となっている。球状部（３ｈ）を凹部（４ｅ）に圧入することで、第１管（４）は脱落することなくハウジング（３）の中心軸回りに回転可能に接続される。
【００２９】
再び、図１及び図２を参照する。第１管（４）には、第１管（４）と連通するように第２管（５）が接続されている。第２管（５）は、第１管（４）に対して鋭角αをなすように第１管（４）の半径方向外側に上向きに延設されている。この鋭角αは、９０°より鋭角であり、かつ、第２管（５）がマウンティング・カップ（１）に接触しない角度であれば特に限定されないが、内容物の残量を減らすことができる観点から、１０〜８０°であることが好ましく、２０〜７０°であることがより好ましい。
【００３０】
第２管（５）は、略円筒状の第２管本体（５ｃ）を備えており、第２管本体（５ｃ）の延設方向端部に吸入口（５ａ）を有する流入穴（５ｂ）を備えている。内容物は、第２管（５）の吸入口（５ａ）から吸入され、第２管（５）の流入孔（５ｂ）、第１管（４）の流入孔（４ｂ）を通ってハウジング（３）の流入孔（３ｅ）に流入し、最終的には吐出口（２ａ）から吐出される。
【００３１】
第２管本体（５ｃ）は、吸入口（５ａ）側に向かうに従い径が大きくなるように形成されていることが好ましい。これにより、第２管（５）に作用する重力が吸入口（５ａ）側に向かうに従い大きくなるので、吸入口（５ａ）をより確実に常に下方向に向けることができる。
【００３２】
図２及び図３に示す如く、第２管（５）は、第２管本体（５ｃ）の左右の側面から水平方向に延設された平板状の鍔部（５ｄ）を備えていることが好ましい。鍔部（５ｄ）を備えていることにより、第２管（５）に作用する重力が大きくなり、吸入口（５ａ）をより確実に常に下方向に向けることができる。鍔部（５ｄ）の形状は、吸入口（５ａ）をより確実に常に下方向に向けることができる形状であれば特に限定されない。具体的な鍔部（５ｄ）の形状としては、例えば、四角形状、台形状、菱形状、半楕円形状、半円形状、三角形状等を例示することができる。
【００３３】
上記構成により、倒立型エアゾール用バルブ（１０）が倒立状態で、且つ浅い角度でどの方向に傾けられたとしても、第２管（５）の吸入口（５ａ）は、常に下方向を向くこととなり、内容物を最後まで吸入口（５ａ）から吸入して吐出口（２ａ）から吐出することができる。
【００３４】
第２管（５）の端部は、水平方向においてエアゾール用缶（１）に装着が可能な範囲内で、缶内周面（１ｂ）の近傍にまで達していることが好ましい。また、前記端部は、上下方向においてマウンティング・カップ（１ａ）に近いほうが好ましい。但し、第２管（５）を容易にエアゾール用缶（１）の内部に挿入できるという観点から、マウンティング・カップ（１ａ）の外径を超えない値とされていることがより好ましい。
【００３５】
第１管（４）と第２管（５）は、夫々別部品として両者を接続することにより形成してもよく、一体的に成形されていてもよい。
【００３６】
図８は、倒立型エアゾール製品の使用状態を説明するための断面図であり、缶を斜め下向きにした状態を示す図である。図９は、倒立型エアゾール用バルブを下方向から視た図である。
【００３７】
上記した本発明の構成を採用することによって、第２管（５）は、ステム（２）を斜め下に向けた状態で使用する場合であっても効率よく原液（Ａ）を吸い込むことができ、全ての原液（Ａ）をステム（２）から噴射することができる。
【００３８】
本発明では、第１管（４）は、ハウジング（３）の嵌入部（３ｆ）に対して中心軸回りに回転可能に接続されており、且つ第２管（５）に作用する重力によって、第２管（５）の開口（５ａ）は、常に下方向を向くこととなる。さらに、エアゾール用缶（１）を中心軸回り（図９の矢印方向）に回転させたときも、第２管（５）の重力の作用によって第１管（４）が回転し、第２管（５）の開口（５ａ）は、常に下方向を向くこととなる。したがって、本発明の倒立型エアゾール用バルブ（１０）は、完全な倒立状態ではなく浅い角度で傾けて使用した場合も、内容物を缶外部へ吐出することが可能であり、且つ缶の中心軸回りの方向に依存することなくどの方向においても内容物を缶外部へ吐出することができる。
【００３９】
本発明は、上記した倒立型エアゾール用バルブ（１０）だけでなく、倒立型エアゾール用バルブ（１０）を、エアゾール用缶（１）に取り付けることによって形成された倒立型エアゾール用容器（１００）も含まれる。エアゾール用缶（１）の形状は特に限定されないが、内容物の残量を減らすことができる観点から、円筒状であることが好ましい。
【００４０】
また、本発明に係る倒立型エアゾール用容器（１００）の内部には、化粧料、医薬品、医薬部外品、香料、殺虫剤等の原液（Ａ）と、原液（Ａ）を吐出するための噴射剤（Ｂ）からなる内容物が充填された倒立型エアゾール製品も本発明に含まれる。噴射剤（Ｂ）としては、特に限定されないが、液化石油ガス（ＬＰＧ：Ｌｉｑｕｅｆｉｅｄ  Ｐｅｔｒｏｌｅｕｍ  Ｇａｓ）、ジメチルエーテル（ＤＭＥ：Ｄｉｍｅｔｈｙｌｅｔｈｅｒ）、イソペンタン、フロロカーボン等が挙げられる。前記内容物が原液（Ａ）と噴射剤（Ｂ）とから構成される場合、原液（Ａ）中に噴射剤（Ｂ）の一部が溶け込み完全に相溶し均一になっていてもよいし、噴射剤（Ｂ）が原液（Ａ）に溶け込まず両者が不均一な状態で存在していてもよい。
【００４１】
本発明の倒立型エアゾール製品から吐出される内容物の形態としては、泡沫状、霧状、ミスト状、又は粘性液体状（ジェル状）の形態で吐出されれば特に限定されない。また、倒立型エアゾール製品としては、例えば、整髪剤、染毛剤、育毛剤等の毛髪化粧料；スキンケア剤、シェービング剤、デオドラント剤、フレグランス剤等の皮膚化粧料；鎮痛消炎剤、殺虫剤等の医薬品；殺菌・消毒剤等の医薬部外品等を例示することができる。
【産業上の利用可能性】
【００４２】
本発明は、化粧用品、殺虫剤等の、原液を吐出させて用いる倒立型エアゾール製品として用いることができる。
【符号の説明】
【００４３】
１                エアゾール用缶
１ａ              マウンティング・カップ
２                ステム
２ａ              吐出口
２ｂ              ステムオリフィス
３                ハウジング
３ａ              開口
３ｂ              ハウジング本体
３ｅ              流入孔
３ｆ              嵌入部
３ｇ              係止部
３ｉ              付勢手段
４                第１管
５                第２管
５ａ              吸入口
５ｃ              第２管本体
５ｄ              鍔部
１０              倒立型エアゾール用バルブ
１００            倒立型エアゾール用容器
Ａ                原液
Ｂ                噴射剤
【図１】
2015066474.tif 000003
【図２】
2015066474.tif 000004
【図３】
2015066474.tif 000005
【図４】
2015066474.tif 000006
【図５】
2015066474.tif 000007
【図６】
2015066474.tif 000008
【図７】
2015066474.tif 000009
【図８】
2015066474.tif 000010
【図９】
2015066474.tif 000011
【図１０】
2015066474.tif 000012